Podtech/llm-jp-corpus-v4-ja_patent huggingface dataset:
(57)【要約】      （修正有）【課題】長胴部分で折損し、かつ六角孔が崩れて変形した場合でも、装着中の残品を簡単に抜き出すことができると共に、装着時における締めの甘さを解消できるようにした管継ぎ手を提供する。【解決手段】前端側外周に管の継手用の凹凸部、略中間部に六角ナット３と一体の長胴部４、後端側外周に差し込み用のねじ部がそれぞれ設けられた管継ぎ手本体１を具備し、管継ぎ手本体１の中心孔の全部を六角孔６に形成すると共に、長胴部４外形を六角形７に形成して構成する。【選択図】図２
0003106320.tif 000002
【実用新案登録請求の範囲】
【請求項１】
前端側外周に管の継手用の凹凸部、略中間部に六角ナットと一体の長胴部、後端側外周に差し込み用のねじ部がそれぞれ設けられた管継ぎ手本体を具備し、管継ぎ手本体の中心孔の全部を六角孔に形成すると共に、長胴部外形を六角形に形成したことを特徴とする管継ぎ手。
【考案の詳細な説明】
【技術分野】
【０００１】
本考案は、例えばプラスチック成形機の金型等の所定部位にねじ込んで装着される管継ぎ手に関する。
【背景技術】
【０００２】
従来のこの種管継ぎ手は、図５乃至図７に示したように構成される。すなわち、前端部外周に管の継ぎ手用の凹凸部ｂ、略中間部に六角ナットｃと一体の長胴部ｄ、後端側外周に差し込み用のねじ部ｅがそれぞれ設けられた管継ぎ手本体ａを具備し、管継ぎ手本体ａの中心孔の全部を六角孔ｆに形成して成る。
【０００３】
このため、万一、図７に示したように、プラスチック成形機の金型ｈの所定部位に設けられた取付孔ｉに装着既みの管継ぎ手が途中で折損した場合、六角孔ｆに正面から六角レンチを差し込んで廻すことによって簡単に装着中の残品ｊを抜き出すことができる。
【特許文献１】特になし
【考案の開示】
【考案が解決しようとする課題】
【０００４】
しかしながら、前記した従来の管継ぎ手は、前方部分の肉厚が薄く形成されているため、折損した場合や六角レンチの作業中に六角孔ｆが崩れて変形するおそれがあった。
【０００５】
特に、管継ぎ手本体ａの長胴部ｄで折損した場合、あるいは六角孔ｆが崩れて変形した場合、外周が円形ｇに形成されているため、装着中の残品ｊを間単に抜き出すことができない問題があった。
【０００６】
一方、装着時にもテンションがかかりづらく締めが甘くなり易い問題があった。すなわち、専用工具を用いて強く締めようとすると、その外周に傷が発生し、腐食等の原因が生まれ強度が落ちる可能性があった。
【０００７】
本考案は、前記した従来技術の有する問題点を解消するもので、長胴部分で折損し、かつ六角孔が崩れて変形した場合でも、装着中の残品を簡単に抜き出すことができると共に、装着時における締めの甘さを解消できるようにした管継ぎ手を提供することを目的とする。
【考案の効果】
【０００８】
本考案は、前記のとおり構成されるものであるから、管継ぎ手本体のどの部分で折損しても、中心部の六角孔が管継ぎ手本体の全長に亘って形成されているための、当該六角孔に六角レンチを差し込んで廻すだけで不用な装着中の残品を簡単に抜き出すことができる。
【０００９】
また、管継ぎ手本体の長胴部分で折損した場合、例え六角孔が崩れて変形していても、あるいは六角レンチが無いときでも、長胴部外周の六角部にソケットレンチやモンキースパナ等を嵌めて廻すことによって不用な装着中の残品を簡単に抜き出すことができる。
【００１０】
さらに、管継ぎ手を装着する際にも、長胴部外周の六角部や六角ナットを利用することにより、接続工具による締め付けを強く行なうことができる。したがって、締めが甘くなることがない上に、長胴部外周の損傷を防止することができる。
【考案を実施するための最良の形態】
【００１１】
以下、本考案に係る管継ぎ手を実施するための最良の形態について図面を参照して詳細に説明する。
【００１２】
図１は、同上の側面図であり、図２は、図１のＡ−Ａ矢視断面図であり、図３は、同上の使用状態を示す一部断面の説明図であり、図４は、折損した状態を示す一部断面の説明図である。
【００１３】
図１乃至図３において、１は管継ぎ手本体である。この管継ぎ手本体１は、前端側外周に管の継ぎ手用の凹凸部２、略中間部に六角ナット３と一体の長胴部４、後端側外周に差し込み用のねじ部５をそれぞれ具備する。
【００１４】
而して、管継ぎ手本体１中心部に設けられた中心孔はその全部が六角孔６に形成されている。また、長胴部４はその外形が六角ナット３よりも小径な六角形７に形成されている。
【００１５】
以上のように構成された管継ぎ手は、図３に示したように、プラスチック成形機の金型１１の所定部位に設けた取付孔１２に管継ぎ手本体１のねじ部５側から装着される。
【００１６】
すなわち、取付孔１２は、後端がねじ孔１２ａ、前端が貫通孔１２ｂに形成されており、管継ぎ手本体１後端のねじ部５をねじ孔１２ａに螺合すると共に、長胴部４後端を貫通孔１２ｂに挿通することによって管継ぎ手は長胴部４の前端を外部に露呈させた状態で取付孔１２に装着される。この装着に際しては、接続工具（不図示）を六角ナット３や長胴部４の六角形７に当てるため締め付けを強く行なうことができる。
【００１７】
そして、管継ぎ手の装着中、図４に示したように、長胴部４で折損した場合、六角孔６に六角レンチを差し込んで廻すことで取付孔１２中の不用な残品１ａを取り出すことができる。
【００１８】
また、残存する長胴部４の外周に設けられた六角形７にソケットレンチやモンキースパナ等を嵌めて廻すことでも取付孔１２中の不用な残品１ａを取り出すことができる。
【００１９】
管継ぎ手本体１中心部の六角孔６と長胴部４外周の六角形７のいずれかが損傷した場合、あるいは六角レンチとソケットレンチやモンキースパナ等のいずれかが用意されていない場合は、いずれか一方を使用することで簡単に不用な装着中の残品１ａを抜き出すことができる。なお、このようにして残品１ａを抜き出した後はその部分の取付孔１２に新たな管継ぎ手を装着することができる。
【図面の簡単な説明】
【００２０】
【図１】本考案の側面図である。
【図２】図１のＡ−Ａ矢視断面図である。
【図３】本考案の使用状態を示す一部断面の説明図である。
【図４】本考案の折損した状態を示す一部断面の説明図である。
【図５】従来品の側面図である。
【図６】図５のＢ−Ｂ矢視断面図である。
【図７】従来品の折損した状態を示す一部断面の説明図である。
【符号の説明】
【００２１】
１  管継ぎ手本体
２  凹凸部
３  六角ナット
４  長胴部
５  ねじ部
６  六角孔
７  六角形
【図１】
0003106320.tif 000003
【図２】
0003106320.tif 000004
【図３】
0003106320.tif 000005
【図４】
0003106320.tif 000006
【図５】
0003106320.tif 000007
【図６】
0003106320.tif 000008
【図７】
0003106320.tif 000009
(57)【要約】      （修正有）【課題】本考案は、草抜き工具及びゴミ拾いバサミに関する工具である。従来のゴミ拾いバサミは、少量のゴミを取るのに最適であったが、缶やペットボトルなど大きいゴミを取るのには、不便であった。【解決手段】本考案は、先端部分１を尖らせることにより、雑草も根本から抜けるようにした。全体を緩やかな曲線を付け、曲線部分にギザギザ２を加えることにより、大きいゴミもしっかり楽にとれるよう配慮した。又持ち手部分には、クッション３を付け握りやすく使いやすいよう配慮した。【選択図】図１
0003106311.tif 000002
【実用新案登録請求の範囲】
【請求項１】
先を尖らせることにより、雑草を根本から抜ける草抜き・ゴミ拾いバサミ。
【請求項２】
全体に緩やかなカーブを付け、カーブ部分にギザギザを加える事により、拾うゴミの範囲を広げ、取りにくいゴミも拾いやすくした草抜き・ゴミ拾いバサミ。
【請求項３】
持ち手部分にクッションを付けることにより、挟む力に負担がかからないようにした草抜き・ゴミ拾いバサミ。
【考案の詳細な説明】
【技術分野】
【０００１】
本考案は、草抜き工具及びゴミ拾いバサミに関する。
【背景技術】
【０００２】
従来のゴミ拾いバサミは、缶やペットボトルなど、つまみにくかったのに比べて、楽にゴミや缶などつまみやすくなった。
【０００３】
角度を変えて、ゴミが拾いやすくなったが、その角度で、根元から草が抜ける力が、負担になるなどの不利がある。
【０００４】
本考案は、持ち手部分にクッションを付け握りやすくし、先端部分を少し尖らせることにより、雑草を抜きやすくし持ち手部分も改善することにより上記課題を解決する。
【０００５】
本考案は、図１に示されるように、従来の直線のゴミ拾いバサミではなく、全体を緩やかな曲線をつけて、曲線部分にギザギザを加える事により、拾ったゴミを取りやすくした。
【考案の開示】
【考案が解決しようとする課題】
【０００６】
従来のゴミ拾いバサミは、ゴミや草など少量のものを取るなどには、最適であったが、それ以外の缶やペットボトルなど、大きいゴミになるとつまみにくく使いにくかった。
【考案の効果】
【０００７】
本考案は、全体を緩やかな曲線をつけて、曲線部分にギザギザを加え、多少の大きいゴミもつまみやすく楽にゴミ拾いが、出来るようになった。又先を尖らせることにより、草も根本からとれ草抜き効果もある。
【考案を実施するための最良の形態】
【０００８】
図１に示すように、先を尖らせることにより、雑草を根本から抜けるようにし、全体に緩やかなカーブを付け、つまむ範囲を広げ、曲線部分にギザギザを加えることにより、大きいゴミも取りやすくした。又持ち手部分には、クッションをつけ、つまむ力に負担がかからないよう配慮した。
【図面の簡単な説明】
【０００９】
【図１】図１  本考案に係る全体図である。
【符号の説明】
【００１０】
１  先端部分  
２  ぎざぎざ部分  
３  クッション付き持ち手部分
【図１】
0003106311.tif 000003
(57)【要約】【課題】  同一な形状の中鉢において、多様な形状の外鉢に対する適合性を有し、尚かつ簡単な取替え機能を持った園芸鑑賞鉢を開発しようとするものである。【解決の手段】  中鉢（１）に吊り下げ器具（３）を合体させ、外鉢（２）の上部内側に中鉢を掛けることにより構成される。【選択図】図１
0003106137.tif 000002
【実用新案登録請求の範囲】
【請求項１】
側面または上部に吊り下げ器具（３）を合体させた中鉢を外鉢の上部内側に掛けたことを特徴とする、二重構造を持った底面給水用の園芸鑑賞鉢。
【考案の詳細な説明】
【技術分野】
【０００１】  本考案は、底面給水方式を利用した二重構造の園芸鑑賞鉢に関するものである。
【背景技術】
【０００２】  従来、植物の管理を省力化または最適化することを目的とした、低部に貯水機能を備えた外鉢を持った二重構造の園芸鑑賞鉢は多くあるが、中鉢が外鉢の底部に落ち込まないようにするための方法として以下の３つの方法が知られている。
（イ）図２に示すように、外鉢の形状を中鉢が外鉢の内側の一部または全部が接触するようにして、中鉢が外鉢の底部に落ち込まないようにしている。（ロ）外鉢の上に中鉢の一部が接触して、中鉢が外鉢の底部に落ち込まないようにしている。（ハ）外鉢の中に台状の構造物を置いてその上に中鉢を置き、中鉢が外鉢の底部に落ち込まないようにしている。
前記（イ）と（ロ）の場合、中鉢が外鉢の底部に落ち込まないようにするためには、内鉢と外鉢の形状が適合している必要があった、よって外鉢の形状において汎用性が無く、外鉢に多様なデザインを用いることが困難となっていた。前記（ハ）では別途台状の構造物が必要であり、外鉢の高さに対する汎用性に欠けていた。
【考案の開示】
【考案が解決しようとする課題】
【０００３】  本考案は、それらの欠点を除いて、同一な形状の中鉢において外鉢の口径と高さと形状に対する幅広い適合性を有し、尚かつ外鉢の簡単な取替え機能を持った二重構造の園芸鑑賞鉢を開発しようとするものである。
【課題を解決するための手段】
【０００４】  上記の目的を達成するために、本考案は側面または上部に吊り下げ器具を合体させた中鉢を外鉢の上部内側に掛けることにより構成される。いまその解決手段を図面に追いながら説明する。
図１に示すように、吊り下げ器具（３）の一端を中鉢（１）と合体させる。吊り下げ器具のもう一端は逆Ｕ字の形状になっている。中鉢（１）に合体した吊り下げ器具（３）のＵ字部を、外鉢（２）の上部内側に掛ける。
【考案の効果】
【０００５】  中鉢を外鉢の上部内側に掛けるだけなので、外鉢の口径と高さと形状に影響されずに中鉢を外鉢の一定の高さに簡単に固定できる。外鉢には一般に広く使用されているコップや花瓶なども使う事ができる。同一の中鉢を使って外鉢を変えるだけで、見た目にも飽きることなく色々な外鉢の形状や材質を楽しむ事ができる。
【考案を実施するための最良の形態】
【０００６】  本考案は以上のような構成であることから、これを使用するときは以下のようにする。底部に給水ひも（４）を取り付けた中鉢に植物を植える。側面または上部に吊り下げ器具（３）を合体させた中鉢を外鉢の上部内側に掛ける。外鉢に入れた水に給水ひも（４）が接し、また中鉢の底部と水面との間に空間（６）が存在する高さに中鉢を設置する。給水ひもの毛細管現象により外鉢の水を適度な水分量だけ中鉢内の植物に与ることができる。外鉢の水が減少したら吊り下げ器具付きの中鉢を取り出し、外鉢に水を足す。
【実施例】
【０００７】なお中鉢に吊り下げ器具を合体させる方法には、（イ）中鉢を吊り下げ器具で挟む方法、（ロ）接着剤で付ける方法、（ハ）ビス止めする方法、（ニ）中鉢と取り付け器具を一体的に成型する方法などがある。
【図面の簡単な説明】
【０００８】
【図１】  本考案の一実施形態を示す断面図である。
【図２】  従来技術の一実施形態を示す断面図である。
【符号の説明】
【０００９】１中鉢
２外鉢
３吊り下げ器具
４給水ひも
５水
６空間
【図１】
0003106137.tif 000003
【図２】
0003106137.tif 000004
(57)【要約】      （修正有）【課題】彫刻を施した透明文字板を容易にすることができ、表札看板の周囲を照明することが出来る。【解決手段】文字や図柄の彫刻５を施した透明硝子板または透明樹脂板１の上部端面７が照明装置４により発光された光の延長線上に垂直に配置される様に高さが調節された取付サポート８を介して、透明硝子板または透明樹脂板１を太陽電池２に平行になるように螺子６にて固定する。以上のような構造を有することにより筺体３を分解しなくても透明硝子板または透明樹脂板１を着脱することが出来、また露出した端面より光を放出することが出来る。【選択図】図１
0003106136.tif 000002
【実用新案登録請求の範囲】
【請求項１】
太陽電池で発電し、蓄電池にて蓄電した電力を用いて照明装置を発光させることにより、文字や図柄の彫刻を施した透明硝子板または透明樹脂板の端面に光を照射し、文字や図柄を浮かび上がらせ、夜間の視認性を向上させた太陽電池電源式表札看板において、文字や図柄の彫刻を施した透明硝子板または透明樹脂板を太陽電池前面に位置するよう筺体に螺子で固定する構造を有する太陽電池電源式表札看板。
【請求項２】
文字や図柄の彫刻を施した透明硝子板または透明樹脂板の端面のうち、少なくともひとつの端面を露出させた請求項１の太陽電池電源式表札看板。
【考案の詳細な説明】
【技術分野】
【０００１】本考案は、太陽電池とそれを収納する筺体、及び文字や図柄の彫刻を施した透明硝子板または透明樹脂板とからなる太陽電池電源式表札看板の構造に関する。
【背景技術】
【０００２】従来の太陽電池電源照明を具備した表札看板は、太陽電池前面に設けられた文字や図柄の彫刻を施した透明硝子板または透明樹脂板が容易に交換できるものや、太陽電池電源式表札看板の周囲を照明できるものはなかった。（例えば、特許文献１参照）【０００３】
【特許文献１】    特開２００２−３２８６３３号公報
【考案の開示】
【考案が解決しようとする課題】
【０００４】従来の太陽電池を具備した表札看板には次のような欠点があった。
（イ）例えば特開２００２−３２８６３３では彫刻を施した透明文字板が太陽電池と共に筐体内部に固定された構造で分解が困難である。また、あるいは屋外設置のための防水を考慮し、組立工程においてシリコンゴムや接着剤を使用しているものは分解が不可であり、組立後は彫刻を施した透明文字板を交換することが困難または不可であった。
（ロ）例えば特開２００２−３２８６３３では照明装置と彫刻を施した透明文字板の端面が全て筺体内部に収納されているため表札看板の周囲を照明することが出来なかった。
この考案は、これらの欠点を除くためになされたものである。
【課題を解決するための手段】
【０００５】本考案品の基本構造は、文字や図柄の彫刻（５）を施した透明硝子板または透明樹脂板（１）の上部端面（７）が照明装置（４）により発光された光の延長線上に垂直に配置される様に高さが調節された取付サポート（８）を介して、透明硝子板または透明樹脂板（１）を太陽電池（２）に平行になるように螺子（６）にて固定する。
本考案は、以上のような構造を有することにより筺体（３）を分解しなくても透明硝子板または透明樹脂板（１）着脱することが出来、また露出した端面より光を放出することが出来る。
【考案の効果】
【０００６】（イ）請求項１のように文字や図柄の彫刻（５）を施した透明硝子板または透明樹脂板（１）が螺子（６）により筺体（３）に固定されているため、例えば、門柱等に取付後も透明硝子板または透明樹脂板（１）を容易に交換できる。
（ロ）請求項２のように露出された透明硝子板または透明樹脂板（１）の端面が光を透過させるため、夜間使用時においても、透明硝子板または透明樹脂板（１）の文字や図柄の彫刻（５）を浮き上がらせるだけでなく、透明硝子板または透明樹脂板（１）の周囲を照らすことができるので、光を無駄なく利用できる。
【考案を実施するための最良の形態】
【０００７】本考案品の実施の形態について図１および図３を用いて説明する。
本考案品の基本構造は、文字や図柄の彫刻（５）を施した透明硝子板または透明樹脂板（１）の上部端面（７）が照明装置（４）により発光された光の延長線上に垂直に配置される様に高さが調節された取付サポート（８）を介して、透明硝子板または透明樹脂板（１）を太陽電池（２）に平行になるように螺子（６）にて固定する。このとき取付サポート（８）の材質は金属または樹脂製で高さは５ｍｍ以上が望ましい。また、螺子（６）は簡単な工具、若しくは素手で螺合出来るものが望ましい。
【実施例１】
【０００８】図２に示す様に、本考案品を表札看板として構成する。
【産業上の利用可能性】
【０００９】本考案品は、透明な硝子または樹脂板の彫刻文字板に施された文字彫刻を昼間、夜間を問わず背景とのコントラストの違いにより効果的に人に認識させることができる表札において、請求項１のように文字や図柄の彫刻（５）を施した透明硝子板または透明樹脂板（１）の着脱が安易にできるので、販売者、若しくは購入使用者が、いつでも透明硝子板または透明樹脂板（１）を交換することで異なる文字や図柄を表示することが出来る。さらに、生産者にとっては文字や図柄の彫刻（５）の彫刻加工が別工程でできるので大量生産が可能となり低価格で普及させることができる。
また、請求項２のように露出された透明硝子板または透明樹脂板（１）の端面が光を透過させるため、夜間使用時においても、透明硝子板または透明樹脂板（１）の文字や図柄の彫刻（５）を浮き上がらせるだけでなく、透明硝子板または透明樹脂板（１）の周囲を照らすことができるので、光を無駄なく利用できる。
【図面の簡単な説明】
【００１０】
【図１】本考案品の断面図である。
【図２】本考案品を表札看板として構成した斜視図である。
【図３】本考案品を表札看板として構成した側面図である。
【符号の説明】
【００１１】１  透明硝子板または透明樹脂板
２  太陽電池
３  筐体
４  照明装置
５  文字や図柄の彫刻
６  螺子
７  上部端面
８  取付サポート
【図１】
0003106136.tif 000003
【図２】
0003106136.tif 000004
【図３】
0003106136.tif 000005
(57)【要約】      （修正有）【課題】ティグ溶接（ステンレス鋼やアルミの溶接）する時に、経験の浅い人でも溶加棒をスムーズにしかも的確に送り込むことが出来る器具を提供します。【解決手段】（イ）部品（２）と把手（１）は合体された状態で、セラミック・金属・木材・プラスチック等で制作します。（ロ）凹型の部品（２）の両端に溶加棒（５）が通過出来るように、穴（３）、穴（４）をあける。本案を使用する時は、利き腕でない方の手で把手（１）を握り、溶加棒（５）を穴（３）、穴（４）に通し、親指の裏側で溶加棒を先端方向へ送り込みます。【選択図】図１
0003106138.tif 000002
【実用新案登録請求の範囲】
【請求項１】
セラミック・金属・プラスチックまたは木材で作られた凹型の部品（２）と把手（１）とが合体したものであり、溶加棒（５）を通せるように部品（２）の両端に穴（３）、穴（４）をあけた器具です。
【考案の詳細な説明】
【考案の詳細な説明】
【０００１】［考案の属する技術分野］
この考案はステンレス溶接やアルミ溶接の時に使用する溶加棒の送り込みに関するものである。
【０００２】［従来の技術］
従来、利き腕でない方の掌の上に溶加棒を置き，親指の裏で溶加棒を先端に方に送り込んでいました。
【０００３】［考案が解決しようとする課題］
（イ）  溶加棒を掌の上に置いて，親指の裏で溶加棒を押さえながら先端方向に送り込むため、先端部分が大きく上下左右に揺れやすい。
（ロ）  溶接するスピードによってはスムーズに送り込むのが難しい。
（ハ）  上記（イ），（ロ）の欠点を克服して上手に溶接するには、相当な期間経験しないと上手にできない。
【０００４】（課題を解決するための手段）
（イ）  溶加棒（５）を穴（３）、穴（４）の二か所の穴を通すことに溶加棒の上下左右の揺れは相当少なくなる。
（ロ）  把手（１）をしっかり握ることにより、溶加棒の先端の揺れ幅を相当狭くすることが出来る。
（ハ）  上記により、溶加棒の先端が上下左右に動くことが限定されるため、親指の先で溶加棒を的確に送り込むことが，経験の少ない人でも簡単に出来るようになります。
【０００５】（考案の実施の形態）
（イ）  部品（２）と把手（１）は合体された状態で、セラミック・金属・木材・プラスチック等で制作します。
（ロ）凹型の部品（２）の両端に溶加棒（５）が通過出来るように、穴（３）、穴（４）をあける。
本案を使用する時は、利き腕でない方の手で把手（１）を握り、溶加棒（５）を穴（３）、穴（４）に通し、親指の裏側で溶加棒を先端方向へ送り込みます。
【０００６】（考案の効果）
（イ）  溶加棒（５）を二つの穴（３）と穴（４）を通すことにより上下左右の揺れが少なくなります。
（ロ）  凹型の器具（２）を掌の上で安定させるため、把手（１）をつけ、それを握るることにより器具（２）は安定します。
（ハ）  親指の指先で溶加棒（５）を押さえながら先端へ送り込むのため大変簡単にできます。
（ニ）  経験の浅い人でも溶加棒（５）をスムーズに、しかも的確に送り込む事が出来るようになります。
（ホ）  溶加棒（５）が滑り落ちないように器具（２）の穴（３）、穴（４）の真上にネジをきり、雄ネジを差し込み穴の径を調整することにより、難しい溶接姿勢でも、簡単に送り込むことができます。
【図面の簡単な説明】［図１］  本考案の斜視図である。
［図２］  本考案の器具に溶加棒を装着して、実際に手で握った図である。
【符号の説明】
（１）把手    （２）溶加棒を保持する凹部
（３）・（４）溶加棒を通す穴    （５）溶加棒
【図１】
0003106138.tif 000003
【図２】
0003106138.tif 000004
(57)【要約】      （修正有）【課題】花を生ける量を調節できる花器を提供する。【解決手段】ひとつの花器を本体１と口の部分２のふたつのパーツに分けて、開口部を正円ではなく扇形の孔の形にして口の部分を回転させることによって、開口量を調節でき多様な量の花を生けることを可能とした。【選択図】図５
0003106150.tif 000002
【実用新案登録請求の範囲】
【請求項１】
花器の本体と口の部分を別パーツに分け、開口部を正円ではなく、扇形形状にすることにより、少量の花からある程度のボリュームまで、生ける花の量に合わせて口径の開口部の大きさを調節可能としたことを特長とする花器。
【考案の詳細な説明】
【技術分野】
【０００１】
本考案は、少量の花からある程度の量やボリュームのある花まで、生ける花の量に合わせて生け口の口径を調節できる特長をもった花器に関する。
【背景技術】
【０００２】
生花を飾る場合、花を購入した時や、花を頂いた時などいろいろな場合において花の量は様々で、花を飾る場所によっても花の量が変わってくる。そのような場合、飾る花の量に応じてたくさんの花器を揃えることはたいへん難しく、限られた花器で多様な花の量を飾る必要がある。
【０００３】
この改善策として、花器の口の部分と本体を２つに分け、開口部を扇形にすることにより、開口量の調節が可能となり、ひとつの花器で多様な量の花を生けられるようになる。
【考案の開示】
【考案が解決しようとする課題】
【０００４】
解決しようとする課題は、従来の花器は一般的に開口部の調節をできる機能を持たず、一般的に花器の所有数は限られており、１種類の花器で様々な量の花を飾ることは困難である。
【課題を解決するための手段】
【０００５】
請求項１に係わる考案は、花器の本体と口の部分を２つのパーツに分けて、それぞれに扇形状の孔を開け、０から180度回転させることにより、開口部の大きさが変化することを可能とする。
【考案の効果】
【０００６】
本考案は、花器の本体と口の部分を２つのパーツに分けて、それぞれに扇形状の孔を開け、０から180度回転させることにより、開口部の大きさを変化させることができ、多様な量の花を生けることができるようになる。
【考案を実施するための最良の形態】
【０００７】
通常花を生ける場合の条件、花の量、水の量、本体の大きさ、開口部の大きさなどをなどを考慮して、多様な花の量を生けることができる花器を実現した。
【実施例１】
【０００８】
図１は本考案の請求項１であり実施例１に係わる平面図。図２はその立面図。図３は図１のＡ-Ａの矢視図（断面図）。図４は開口部の説明図。図５は本考案の斜視図（最大開口状態）。図６は本考案の斜視図（最小開口状態）である。これらの図において、１は花生けの本体部で、２は口の部分であり、２を回転させる構造である。平面図のように開口部を扇形状にすることで、０から180度回転させることによって、開口部の面積を変化させることができる。
【０００９】
このようにして、口径調節型花器を使用することにより、１つの花器で一輪挿しと花瓶の両方の役割を兼ねることができる。口径の開口部の大きさを調節することで、多様な量の花を生けることが可能で、花の量や種類、飾る場所など様々な用途に対応できる。
【図面の簡単な説明】
【００１０】
【図１】本考案に係わる平面図である。
【図２】本考案に係わる立面図である。
【図３】図１におけるＡ-Ａの矢視図（断面図）である。
【図４】本考案の開口部の説明図である。
【図５】本考案の斜視図（最大開口状態）である。
【図６】本考案の斜視図（最小開口状態）である。
【符号の説明】
【００１１】
１  花器（花生け）の本体部分
２  花器（花生け）の口の部分
【図１】
0003106150.tif 000003
【図２】
0003106150.tif 000004
【図３】
0003106150.tif 000005
【図４】
0003106150.tif 000006
【図５】
0003106150.tif 000007
【図６】
0003106150.tif 000008
(57)【要約】【課題】  汚物の異臭や漏れを防止し、ゴミの軽量化および環境汚染の問題にも貢献できる汚物処理袋を提供する。【解決手段】  汚物処理袋の奥に汚物を入れ、袋の裏面を上にして袋口のＡとBを折線に添って三角に折り、空気穴Cを開けて接着する。両手で汚物部分を包むように圧縮しながら袋内の空気を空気穴から排出して最後まで巻き終ったら、空気穴Cを接着テープで止めて、汚物処理袋を圧縮密封する。【選択図】図１
0003106142.tif 000002
【実用新案登録請求の範囲】
【請求項１】
封筒状の袋口の両端を印刷されている折線に添って三角に折って、接着することにより袋の密封度を高める。また、三角に折った中央の合わさり目を少し開けて空気穴を作り、袋内の空気を排出することで圧縮密封ができる汚物処理袋である。
【請求項２】
汚物を袋の奥に収納し、両手で汚物の部分を圧縮しながら袋内の空気を空気穴から排出した後、袋口の上部に貼付されている接着テープで空気穴を止めることにより、圧縮密封ができる汚物処理袋である。
【考案の詳細な説明】
【技術分野】
【０００１】
本考案は器具等を使用せず、汚物を収納した袋を手で簡単に圧縮密封することができる方法である。また、素材も非通気性の紙100パーセントを使用した汚物処理袋である。
【考案の開示】
【考案が解決しようとする課題】
【０００２】
紙おむつを使用している介護老人や乳幼児のいる家庭では、汚物処理にポリバケツや紙おむつ専用ゴミ容器を使用しているが、現状の物は密封度が悪く室内に異臭が漏れてしまうので、本人や生活を共にする家族にとっても不快で不衛生なことである。また、ゴミ出しの際には使用済み紙おむつをビニールの袋などに入れてから、他の可燃ゴミと一緒に指定のゴミ袋に入れて出すのでとても嵩張る。これらのことは環境汚染やゴミの軽量化においても問題である。
【課題を解決するための手段】
【０００３】
汚物を収納した汚物処理袋を圧縮密封することで、汚物の異臭や漏れを防止する。また、ゴミの軽量化や非通気性の紙製の袋は可燃ゴミとして処分できるので、環境問題にも考慮した汚物処理袋の圧縮密封方法である。
【考案の効果】
【０００４】
汚物を個々に袋に入れて圧縮密封することで、汚物の異臭や漏れを防止して衛生的に処理することができる。また、汚物処理袋は非通気性の紙100パーセントの素材で作られているので可燃ゴミとして処分でき、圧縮して小さくなるので嵩張る紙おむつなどのゴミ軽量化や環境汚染にも配慮した。汚物処理袋の圧縮密封には器具を使用しないので、外出時の携帯用汚物処理袋としても様々な活用方法が考えられる。  
【図面の簡単な説明】
【０００５】
【図１】汚物処理袋の表面。
【図２】汚物処理袋の裏面、折り方と巻き方の説明。
【図３】汚物処理袋を巻き終った状態の説明。
【図４】汚物処理袋の空気を排出し、空気穴を接着テープで止める説明。
【符号の説明】
【０００６】
Ａ  袋口の三角に折る部分  
Ｂ  袋口の三角に折る部分
Ｃ  空気穴
Ｄ  接着テープ
【図１】
0003106142.tif 000003
【図２】
0003106142.tif 000004
【図３】
0003106142.tif 000005
【図４】
0003106142.tif 000006
【手続補正書】
【提出日】平成16年7月28日(2004.7.28)
【手続補正１】
【補正対象書類名】実用新案登録請求の範囲
【補正対象項目名】全文
【補正方法】変更
【補正の内容】
【実用新案登録請求の範囲】
【請求項１】
封筒状の袋口の両端を印刷されている折線に添って三角に折り、空気穴として中央の合わさり目を少し開けて接着することにより、袋の密封度を高め、空気穴から袋内の空気を排出することで、圧縮密封ができる汚物処理袋。
【請求項２】
汚物を袋の奥に収納し、両手で汚物の部分を圧縮しながら袋内の空気を空気穴から排出した後、袋口の上部に貼付されている接着テープで空気穴を止めることにより、圧縮密封ができる汚物処理袋。
(57)【要約】【課題】            縫ぐるみについて、単に部屋内の設置又は携帯に伴うデザイン的効果だけでなく、物の包装カバー、等による多機能を発揮し得る構成を提供すること。【解決手段】        動物の身体形状を模擬した縫ぐるみ１において、少なくとも胴部１１を空洞状態とし、腹部を開口可能な状態とすることによって、前記の課題を達成することを可能とする多機能用縫ぐるみ１。【選択図】          図３
0003106143.tif 000002
【実用新案登録請求の範囲】
【請求項１】
動物の身体形状を模擬した縫ぐるみにおいて、少なくとも胴部を空洞状態とし、腹部を開口可能な状態としたことによる多機能用縫ぐるみ。
【請求項２】
胴部における空洞部分の大きさが、ゴルフクラブ用ヘッドと概略同一であって、ゴルフクラブ用ヘッドをカバーすることが可能であることを特徴とする請求項１記載の多機能用縫ぐるみ。
【請求項３】
模擬した動物として獣を選択したうえで、当該獣における前側の２本の脚部、及び又は頭部につき、手指が挿入可能な程度の空洞状態としたことを特徴とする請求項１記載の多機能用縫ぐるみ。
【請求項４】
模擬した動物として獣を選択したうえで、当該獣の４本の脚部を磁気によって相互に着脱自在としたことを特徴とする請求項１記載の多機能用縫ぐるみ。
【請求項５】
腹部における開口可能な部分をチャック又は磁力によって開閉自在としたことを特徴とする請求項１記載の多機能用縫ぐるみ。
【考案の詳細な説明】
【技術分野】
【０００１】
本考案は、動物（獣のみならず、魚などの水中生息物をも含む）の形状を模擬した縫ぐるみにつき、多機能的に使用する構成に関するものである。
【背景技術】
【０００２】
従来縫ぐるみは、人形に準じた扱いが行われており、単に部屋内において静置するか精々ペットと同様に所持し、かつ携帯するという程度の利用しか行われていなかった。
【０００３】
即ち、縫ぐるみによるデザイン的な効果を維持しながら、他の機能をも発揮させるような構成は、これまで提唱されていない。
【考案の開示】
【考案が解決しようとする課題】
【０００４】
本考案は、縫ぐるみによるデザイン上の効果を維持した状態にて、物を包装すること等を可能とするような構成を提供することを課題としている。
【課題を解決するための手段】
【０００５】
前記課題を解決するため、動物の身体形状を模擬した縫ぐるみにおいて、少なくとも胴部を空洞状態とし、腹部を開口可能な状態としたことによる多機能用縫ぐるみからなる。
【考案の効果】
【０００６】
前記解決手段に基づき、腹部における開口可能な部分から、ゴルフクラブなどの細長形状物を挿入し、ゴルフクラブ用ヘッドなどの細長形状物の先端部をカバーすることが可能となり、しかも、縫ぐるみにおいては、頭部及び背部の方が腹部よりも目立ち易いため、前記のように、腹部の開口可能な部分から特定の物を挿入したところで、縫ぐるみとしてのデザイン的な作用効果が喪失されることはない。
【考案を実施するための最良の形態】
【０００７】
本発明の典型的な実施形態は、図３に示すように、縫ぐるみ１において胴部１１における空洞部分の大きさが、ゴルフクラブ用ヘッド３１と概略同一であって、ゴルフクラブ用ヘッド３１をカバーすることが可能であることを特徴としており、このような構成によって、縫ぐるみ１のデザイン性を維持しながら、ゴルフクラブ用ヘッド３１を挿入可能なように設計した場合には、ゴルフクラブ３を腹部の部分における開口可能な部分２を介して縫ぐるみ１に挿入したうえで、ゴルフクラブ用ヘッド３１を前記頭部１３によってカバーすることが可能となる。
【０００８】
図３においては、犬を模擬した縫ぐるみ１を採用しているが、模擬される対象の動物としては、犬に限らず、虎、猫、熊の獣、更にはアザラシ、魚などの水中生息物をも採用することができる。
【０００９】
更には、模擬する対象物として、獣を選択し、かつ脚部１２を有する前側の２本の脚部１２及び又は頭部１３を空洞状態とし、ユーザーの手指を挿入可能とした場合には、ユーザーは腹部の開口可能な部分２から腕を挿入し、更には手指を前記脚部１２の空洞部、及び又は頭部１３に挿入し、縫ぐるみ１の前側の２本の脚部１２、及び又は頭部１３を動かしながら、人形劇模様の演劇的効果を発揮することも可能となる。
【００１０】
以下、実施例に即して説明する。
【実施例１】
【００１１】
実施例１においては、図１に示すように、模擬した動物として獣を選択したうえで、当該獣の４本の脚部１２を磁気によって相互に着脱自在としたことを特徴としている。
【００１２】
このような実施例１の構成によって、図３に示すように、例えばゴルフクラブ用ヘッド３１を腹部の開口可能な部分２を介して、胴部１１に挿入し、かつカバーした場合において、４本の脚部１２によって、挿入したゴルフクラブ３などの細長形状の物体を両側から挟んだ状態とすることによって、安定した挿入状態を維持することが可能となる。
【実施例２】
【００１３】
実施例２は、図２に示すように、腹部の開口可能な部分２をチャック又は磁力によって開閉自在としたことを特徴としている。
【００１４】
このような実施例２の構成においては、開口した状態の場合には、図３に示すようにゴルフクラブ３などの細長形状物を挿入してカバーすると共に、並列させた場合には、色々な種類の物を胴部１１内に挿入し、かつ外に漏れないような状態にて包装することが可能となる。
【産業上の利用可能性】
【００１５】
本考案は、縫ぐるみの製造販売分野において利用することが可能である。
【図面の簡単な説明】
【００１６】
【図１】模擬した獣の前側又は後側の２本の脚部に磁石を介在させた実施例１の構成を示す側断面図である。
【図２】腹部における開口部を閉鎖可能とした実施例２の見取図であり、（ａ）はチャックを採用した場合を示しており、（ｂ）は磁石を採用した場合を示している。
【図３】本発明の実施形態に基づく使用状態を示す見取図である。
【符号の説明】
【００１７】
１：縫ぐるみ
１１：胴部
１２：脚部
１３：頭部
２：開口可能な部分
３：ゴルフクラブ
３１：ゴルフクラブ用ヘッド
４：磁石
【図１】
0003106143.tif 000003
【図２】
0003106143.tif 000004
【図３】
0003106143.tif 000005
(57)【要約】      （修正有）【課題】従来より、ワッペンは生地や刺繍の色彩と立体感を生かしたものが主流であり、特殊なものでは蛍光色の糸で刺繍を施したものがあった。しかしながらそれらは人目を捉えるには今ひとつ注目度に欠けるものであった。そこで本考案は極めて装飾性に優れ、立体的で注目性豊かなワッペンを開発する。【解決手段】フェルト等を素材としたワッペン１の外周と図柄２に光ファイバー３を縫着し、電源のリチウム電池４により基板が配電して発光ダイオードが発光し、この光を受けた光ファイバー３が作用して、ワッペン１の外周と図柄２に光ファイバー３が交互に又は同時に点滅する構造の、発光するワッペンである。【選択図】図１
0003106165.tif 000002
【実用新案登録請求の範囲】
【請求項１】
フェルト等を素材としたワッペン１の外周と図柄２に光ファイバー３を縫着し、電源のリチウム電池４により基板が配電して発光ダイオード５が発光し、この光を受けた光ファイバー３が作用して、ワッペン１の外周と図柄２に光ファイバー３が交互に又は同時に点滅する構造の、発光するワッペン。
【考案の詳細な説明】
【考案の詳細な説明】
【産業上の利用分野】
【０００１】  この考案は、ワッペンの外周と図柄に光ファイバーを設けたワッペンに関する。
【背景技術】
【０００２】  従来より、ワッペンはフェルト生地や刺繍の色彩と立体感を生かしたものが主流であり、特殊なものでは蛍光色の糸で刺繍を施したものがあった。しかしながらそれらは人目を捉えるには今ひとつ注目度に欠けるものであった。
【考案が解決しようとする課題】
【０００３】  本考案は極めて装飾性に優れ、立体的で注目度の高いワッペンを創り出すことを課題とした。
【課題を解決するための手段】
【０００４】  この手段は、フェルト等を素材としたワッペン１の外周と図柄２に光ファイバー３を縫着し、ワッペン１の裏面に設けた電源のリチウム電池４により基板が配電して発光ダイオード５が発光し、この光を受けた光ファイバー３が作用してワッペン１の外周と図柄２に光ファイバー３が交互に又は同時に点滅する構造の発光するワッペンを提供する。
【考案を実施するための最良の形態】
【０００５】  本考案の実施例を図面に基づき記述する。
フェルト等を素材としたワッペン１の外周と図柄２に光ファイバー３を縫着し、ワッペン１の裏面に配置された電源のリチウム電池４により基板が配電して発光ダイオード５（ＬＥＤ）が発光し、この光を受けた光ファイバー３が作用して、ワッペン１の外周と図柄２に光ファイバー３が交互に又は同時に点滅する構造の発光するワッペンである。【０００６】  実施例ではワッペン１の外周に赤色、図柄２の輪郭に黄色、図柄２の目玉に青色の光ファイバー３を縫着している。スイッチ７をＯＮにすると基板が配電して発光ダイオード５が発光し、この光りを受けた光ファイバー３が作用して、先ずワッペン１の外周の赤色が点滅し、次に図柄２である虎の輪郭の黄色が点滅し、続いて虎の目玉の青色が点滅する。そして最後にこれら３色の光ファイバー３が一斉に点滅するものである。【０００７】  リチウム電池４と基板と発光ダイオード５はいずれも小型で軽量であるからワッペンの裏側に収納でき、このワッペンは帽子．衣服．鞄等に安全ピン等で容易に取付けることができる。
【考案の効果】
【０００８】  以上に説明したように本考案は、フェルト等を素材としたワッペン１の外周と図柄２に光ファイバー３を縫着し、電源のリチウム電池４により基板と発光ダイオード５が作用して、このワッペン１の外周と図柄２の輪郭の光ファイバー３が交互に又は同時に点滅する構造のワッペンであり、室内や薄暮から夜間の屋外では従来のワッペンと比較して極めて装飾的で立体的な注目度の高いワッペンである。
【図面の簡単な説明】
【図１】表面の見取図
【図２】裏面の見取図
【符号の説明】
１．ワッペン
２．図柄
３．光ファイバー
４．リチウム電池
５．基板と発光ダイオード
６．コード
７．スイッチ
【図１】
0003106165.tif 000003
【図２】
0003106165.tif 000004
(57)【要約】      （修正有）【課題】本考案は、カレンダーの覚書等を背面に保存し、経過月を遡り確認可能とする。【解決手段】本考案はカレンダー本体１の経過月分一枚を捲り、切り取り部分２に拠り、軸３を支点とし、掛金４を潜らせる。この動作を毎月繰り返すことにより、カレンダーの覚書等を背面に保存し、後日遡って覚書確認可能となる。【選択図】図１
0003106164.tif 000002
【実用新案登録請求の範囲】
【請求項１】
カレンダーの覚書等を背面に一巡させることにより、後日、覚書確認可能とするため、掛金下部を切り取り、容易に一巡可能としたところを特徴としたカレンダー
【考案の詳細な説明】
【考案の詳細な説明】
【技術分野】
【０００１】  本考案はカレンダー本体掛金下部を切り取ることにより、覚書等を背面に一巡し保存可能にしたカレンダーに関するものである。
【背景技術】
【０００２】  従来のカレンダーは、経過月のカレンダーは切り捨てた、このことにより覚書等は消滅した。
【考案が解決しようとする課題】
【０００３】  経過月のカレンダーを覚書共切り捨てることにより、記憶が曖昧となり、遡ることは存外に容易でない、時間的、精神的な負担も大となる。従って背面に経過月のカレンダーを保存することにより前述の欠点を解決しようとするものである
【課題を解決するための手段】
【０００４】  本考案は、カレンダー本体の掛金下部を切り取ることにより、経過月のカレンダーが背面に回せるようにし、遡り経過月の覚書等確認可能となり、問題を解決している。
【考案を実施するための最良の形態】
【０００５】  カレンダー本体の掛金をピンから外し、経過月のカレンダー１まいを捲り、切り取った部分を潜らせ、元のピンに掛ける。毎月この動作を繰り返すことにより覚書等は確実に背面に保存される。
【実施例】
【０００６】  以下、添付図面に従って一実施例を説明する。１のカレンダー本体の経過月分１枚を捲り３の軸を支点に４の掛金を２の切り取り部分に潜らせ一巡する。経過月分カレンダーは背面に保存される。【０００７】  本考案の一実施例は上述の如き構成からなるものであるから、２の切り取り部分を図形すなわち丸、三角、四角、花形、動物の形その他諸々の美的図形にすることは勿論である。
【考案の効果】
上述の様に、本考案の覚書保存カレンダーは経過月のカレンダーが背面に保存してあるため、即座に覚書等確認できることにある。
【図面の簡単な説明】
【図１】  本考案の覚書保存カレンダーの一実施例を示す正面図である。
【図２】  本考案の覚書保存カレンダーの中央切欠断面図である。
【符号の説明】
１  カレンダー本体
２  切り取り部分
３  軸
４  掛金
【図１】
0003106164.tif 000003
【図２】
0003106164.tif 000004
(57)【要約】【課題】  取付けが容易で山中、田圃、畑当の各所で簡便な使用を可能にする害虫動物ワナネットの提供。【解決手段】  合成繊維ロープ製で、網の目の１辺が凡そ１５ｃｍ〜２５ｃｍ程度のネットを用意し、別に合成繊維ロープの一端に合成繊維ロープが通る大きさの穴を作成して該穴に合成繊維ロープの他端を通して直径が凡そ８ｃｍ〜１５ｃｍ程度の環状に形成した括り輪を複数個作成し、該括り輪を上記ネットの各網の目に固定し、さらに上記ネットの四隅に固定用ロープを設けたものとする。【選択図】      図５
0003106176.tif 000002
【実用新案登録請求の範囲】
【請求項１】
合成繊維ロープ製で、網の目の１辺が凡そ１５ｃｍ〜２５ｃｍ程度のネットを用意し、別に合成繊維ロープの一端に合成繊維ロープが通る大きさの穴を作成して該穴に合成繊維ロープの他端を通して直径が凡そ８ｃｍ〜１５ｃｍ程度の環状に形成した括り輪を複数個作成し、該括り輪を上記ネットの各網の目に固定し、さらに上記ネットの四隅に固定用ロープを設けたことを特徴とする害虫動物捕獲ワナネット。
【考案の詳細な説明】
【技術分野】
【０００１】
本考案は、害虫動物捕獲ワナネットに関するものである。
【背景技術】
【０００２】
従来から、山野等に棲息する猪、鹿、狸等のどうぶつを捕獲するために、括り罠がある。括り罠は、通常、針金、ワイヤーロープ等によって形成された括り輪を獣道に設置して、弾性を有する立木等を撓ませた状態で括り輪に連係して、適当な止め具によって立木を撓ませた状態で保持するようになっている。括り輪近傍には、糸、針金、木ぎれ、合成樹脂等によって構成された操作部材が配置されており、これらの操作部材が、獣の鼻、胴体、足等によって引っ張られたり押されると、括り輪が連係された立木等の止め具が外れて、立木等が弾性によって撓んだ状態が解除されて跳ね上がり、括り輪が、獣の鼻、胴体、足等を括ることによって、獣類が捕獲されるのである。
【特許文献１】特願２００１−２９００８６
【考案の開示】
【考案が解決しようとする課題】
【０００３】
しかしながら、これらの括り罠は設置が面倒であるという問題がある。
そこで、本考案は、係る問題点を解決すべく、設置が簡単で、山中、田んぼ、畑等の幅広い箇所で使用することができる害虫動物捕獲ワナネットの提供を目的とするものである。
【課題を解決するための手段】
【０００４】
本考案に害虫動物捕獲ワナネットは、合成繊維ロープ製で、網の目の１辺が凡そ１５ｃｍ〜２５ｃｍ程度のネットを用意し、別に合成繊維ロープの一端に合成繊維ロープが通る大きさの穴を作成して該穴に合成繊維ロープの他端を通して直径が凡そ８ｃｍ〜１５ｃｍ程度の環状に形成した括り輪を複数個作成し、該括り輪を上記ネットの各網の目に固定し、さらに上記ネットの四隅に固定用ロープを設けたことを特徴とする。
【考案の効果】
【０００５】
本考案は以上の通り構成するものであって、移動、セットが簡単で、山中、田んぼのあぜ道、畑など幅広く使用可能で、合成繊維ロープ製で長期間の使用に耐えられ、何回も使用できるのである。また、山、田んぼ、畑の条件によって、黒、緑、茶色などネットの色を代えて使用することもできる。そして、ネットに掛かった動物を麻酔で捕獲しやすいものとなる。さらに、複数の括り輪が備えてあるので動物の４足ともかかる可能性がある。
【考案を実施するための最良の形態】
【０００６】
以下、図面に示す実施の形態について説明する。
図１は本考案に係る害虫動物捕獲ワナネットの平面図で、図２は図１の一部拡大平面図で、図３は動物の足がワナに掛かる前の説明図で、図４は動物の足がワナに掛かった後の説明図で、図５は使用状態の斜視図である。本考案に係る害虫動物捕獲ワナネット１は、ネット２、括り輪３及び固定用ロープ４からなる。
【０００７】
ネット２は合成繊維ロープ製であって、図２に示す如く、ネット２の網の目の１辺の長さ寸法ｓが凡そ１５ｃｍ〜２５ｃｍ程度である。
【０００８】
括り輪３は合成繊維ロープの一端を結び目により合成繊維ロープの他端が通る大きさの穴５を作成し、或いは一端を二つ折りして金属片で固定して合成繊維ロープの他端が通る大きさの穴５を作成し、該穴５に合成繊維ロープの他端６を通して直径Ｒが凡そ８ｃｍ〜１５ｃｍ程度の環状になるように形成するのである。これにより、上記穴５の中をロープが滑り括り輪３の環状部分が大きくなったり小さくなったりするものとなる。そうして、網の目の数だけ括り輪３を用意し、括り輪３の他端６をネット２の各網の目の一辺の中央付近に固定し、ネット２の各網の目に１つずつ括り輪が備えられるものとなる。
【０００９】
括り輪３は合成繊維ロープを使用しているため滑りがよく、図３及び図４に示す如く、動物の足７が括り輪３に掛かると動物の足７に引っ張られて括り輪３が締め付けられ、動物の足７を捕らえることができるのである。
【００１０】
固定用ロープ４は合成繊維ロープ製であって、ネットの四隅及びネットの１辺の中央付近に取り付けるものとする。そうして、図５に示す如く、害虫動物捕獲ワナネット１を拡げて、四隅付近に杭８を打ち付けておいて、該杭８に固定用ロープ４を括り付けて罠を仕掛けるのである。
【００１１】
また、ネットの色は、山、田んぼ、畑の条件によって、黒、緑、茶色などに代えて使用することにより、罠が仕掛けてあることが分かりにくくにすることもできる。
【図面の簡単な説明】
【００１２】
【図１】本考案に係る害虫動物捕獲ワナネットの平面図である。
【図２】図１の一部拡大平面図である。
【図３】動物の足がワナに掛かる前の説明図である
【図４】動物の足がワナに掛かった後の説明図である。
【図５】使用状態の斜視図である。
【符号の説明】
【００１３】
１    害虫動物捕獲ワナネット
２    ネット
３    括り輪
４    固定用ロープ
５    穴
６    他端
７    動物の足
８    杭
【図１】
0003106176.tif 000003
【図２】
0003106176.tif 000004
【図３】
0003106176.tif 000005
【図４】
0003106176.tif 000006
【図５】
0003106176.tif 000007